(57)【特許請求の範囲】
【請求項１】
ＥＬ素子から成るディスプレイを映像信号に基づいて駆動する駆動装置において、前記映像信号の垂直帰線期間を利用して全ＥＬ素子に非発光状態を形成させる手段と、前記映像信号を映像データに変換するＡ／Ｄ変換回路と、前記映像データをメモリに書き込む手段と、１フィールド映像内の映像供給方向が１フィールドごとに逆になるように前記メモリから映像データを読み出す手段と、前記映像供給方向を１フィールドごとに逆にすることに対応して前記ディスプレイへの映像書込方向を１フィールドごとに逆にする手段と、を備えて成ることを特徴とするＥＬディスプレイの駆動装置。
【請求項２】
請求項１に記載のＥＬディスプレイの駆動装置において、前記映像供給方向及び映像書込方向を１フィールド映像内のライン単位で逆にすることを特徴とするＥＬディスプレイの駆動装置。
【請求項３】
請求項１に記載のＥＬディスプレイの駆動装置において、前記映像供給方向及び映像書込方向を１フィールド映像内の画素単位で逆にすることを特徴とするＥＬディスプレイの駆動装置。
【発明の詳細な説明】
【０００１】
【産業上の利用分野】
この発明は、ＥＬ（エレクトロルミネッセンス）素子から成るディスプレイを映像信号に基づいて駆動する駆動装置に関する。
【０００２】
【従来の技術】
有機ＥＬ素子は、例えば、図３に示すように、ガラス基板１１上に、ＩＴＯ透明陽極１２、ホール輸送層１３、有機発光層１４、電子輸送層１５、陰極１６がこの順に積層された構造を有する。電源１７によって陰極１６および陽極１２からそれぞれ電子と正孔（ホール）が注入されると、これら電子と正孔が有機発光層１４で再結合することにより有機分子が励起状態となり、もとの状態（基底状態）に戻ろうとするときに有機発光層１４から光が放出される。電子とホールが再結合した際のエネルギーの全てが光として外部に放出されるわけではなく、一部は熱となり有機ＥＬ素子の温度を上げる。有機ＥＬ素子の温度が上がると電子及びホールの移動度が下がって輝度が低下する。
【０００３】
有機ＥＬ素子を利用した有機ＥＬディスプレイは、ＬＣＤと同様にパッシブマトリックス駆動型とアクティブマトリックス駆動型に大別できる。パッシブ駆動型は、陽極と陰極が交差した部分が発光可能となる単純マトリクス構成であり、垂直ライン選択時のみ点灯する。これに対し、アクティブ駆動型は、図４に示すように、各有機ＥＬ素子３０にスイッチング用のＴＦＴ３１を配置して成り、画素（行）を選択する水平（Ｈ）シフトレジスタ２１およびライン（列）を選択する垂直（Ｖ）シフトレジスタ２２によって選択された有機ＥＬ素子３０にそのときの映像信号が書き込まれ、各有機ＥＬ素子３０に取り付けられたコンデンサＣによって映像信号成分（電圧）が保持されて各有機ＥＬ素子３０は所定期間点灯する（特許文献１参照）。
【０００４】
ここで、水平方向画素数が３２０で垂直方向画素数が２４０である有機ＥＬディスプレイにＮＴＳＣの映像を表示する場合、垂直シフトレジスタ２２には、図５に示すように、ライン番号２２及びライン番号２８５に対応する水平周期のパルスＣＫＶ（垂直制御クロック）のタイミングで、ディスプレイの１番上のラインが選択されるようにＳＴＶ（垂直スタート信号）が入力される。有効映像期間を水平期間の８０％とすると、水平シフトレジスタ２１には、図６に示しているように、水平周期の３２０／０．８＝４００倍のパルスＣＫＨ（水平制御クロック）を入力し、有効映像期間の開始直後にディスプレイの各ラインの一番左の画素が選択されるようにＳＴＨ（水平スタート信号）を入力する。また、図中のＣＳＶ（垂直シフト方向切替）及びＣＳＨ（水平シフト方向切替）は、それぞれ垂直シフトレジスタ２２及び水平シフトレジスタ２１のシフト方向を決める信号であり、ディスプレイの配置が決まったあとは通常は操作されることはない。
【０００５】
【特許文献１】
特開２００２−４０９６３号公報
【０００６】
【発明が解決しようとする課題】
上記のごとく駆動される有機ＥＬディスプレイに例えば黒地に白の格子パターンの画像をしばらく表示し続けていると、黒を表示している有機ＥＬ素子はエネルギーを全く受け取っていないので温度は上昇せず、白を表示している有機ＥＬ素子は常時エネルギーを受け取り続けており、受け取ったエネルギーの一部が熱となるので温度が上昇し続けて輝度が下がってしまう。このままでは画像的には違和感はないが、この画像のあとに例えば一面灰色の画像を表示しようとすると、温度が上昇した有機ＥＬ素子は温度が上昇しなかった有機ＥＬ素子に比べて輝度が低くなっているので、白地に黒の格子パターンが薄く見えてしまう。
【０００７】
この発明は、上記の事情に鑑み、ＥＬ素子の温度上昇を抑えてＥＬ素子間の温度ムラを低減し、もってＥＬ素子から成るディスプレイの画面輝度ムラを低減することができるＥＬディスプレイの駆動装置を提供することを目的とする。
【０００８】
【課題を解決するための手段】
この発明のＥＬディスプレイの駆動装置は、上記課題を解決するために、ＥＬ素子から成るディスプレイを映像信号に基づいて駆動する駆動装置において、前記映像信号の垂直帰線期間を利用して全ＥＬ素子に非発光状態を形成させる手段と、前記映像信号を映像データに変換するＡ／Ｄ変換回路と、前記映像データをメモリに書き込む手段と、１フィールド映像内の映像供給方向が１フィールドごとに逆になるように前記メモリから映像データを読み出す手段と、前記映像供給方向を１フィールドごとに逆にすることに対応して前記ディスプレイへの映像書込方向を１フィールドごとに逆にする手段とを備えて成ることを特徴とする。
【０００９】
上記の構成であれば、垂直帰線期間を利用して全ＥＬ素子に非発光状態を形成させるので、全ＥＬ素子に対して冷却期間が与えられ（１フィールド期間でみればディスプレイ上側と下側とで各素子の冷却期間は異なるが）、ＥＬ素子の温度上昇が抑えられ、ＥＬ素子間の温度ムラが低減されてディスプレイの画面輝度ムラが低減される。そして、映像供給方向及び映像書込方向が１フィールドごとに逆になるので、１フレーム期間でみればディスプレイの上側と下側とで各ＥＬ素子の冷却期間及び映像表示時間の均一化を図ることができる。
【００１０】
前記映像供給方向及び映像書込方向を１フィールド映像内のライン単位で逆にしてもよいし、前記映像供給方向及び映像書込方向を１フィールド映像内の画素単位で逆にするようにしてもよい。
【００１１】
【発明の実施の形態】
以下、この発明の実施形態のＥＬディスプレイの駆動装置を図１及び図２に基づいて説明していく。なお、この実施形態の駆動装置の駆動対象となる有機ＥＬディスプレイは、図４に示したのと同様の構成を有するものとする。
【００１２】
図２に示すように、この実施形態の駆動装置は、映像信号（この実施形態ではＮＴＳＣ映像信号とする）を入力してディジタル映像データを生成するＡ／Ｄ変換回路１、前記ディジタル映像データをメモリ６に書き込むと共に当該メモリ６に書き込んだ映像データを読み出すなどの処理を行なうディジタルシグナルプロセッサ（ＤＳＰ）２、このディジタルシグナルプロセッサ２から出力されるディジタル映像データをアナログ映像信号化するＤ／Ａ変換器３、有機ＥＬディスプレイ４、及びタイミングコントローラ５を備える。
【００１３】
前記タイミングコントローラ５によって有機ＥＬディスプレイ４における垂直シフトレジスタ２２（図４参照）のＳＴＶ（垂直スタート信号）、ＣＫＶ（垂直制御クロック）、ＣＳＶ（垂直シフト方向切替）の出力制御がなされる。タイミングコントローラ５は、図１（ａ）（ｂ）に示すように、垂直帰線期間（２１Ｈ期間）に対応してＳＴＶに２０Ｈ幅のパルスを挿入し、このパルスがＨｉｇｈになると同時に、ＣＫＶを２１Ｈ期間に渡って１２倍速化（２１Ｈ期間×１２＝２５２）する。垂直帰線期間における映像信号は黒レベルなので、この期間に全有機ＥＬ素子には黒が書き込まれ、次に本来のライン選択パルスにより映像が書き込まれるまでの間、有機ＥＬディスプレイ４は黒を表示し続ける。すなわち、垂直帰線期間においては各有機ＥＬ素子はエネルギーを全く受け取っていないので温度は下降し、白を表示し続けた場合に比べ温度上昇を抑制できるので輝度低下による輝度ムラが低減される。
【００１４】
ここで、前記有機ＥＬディスプレイ４への１フィールド映像内の映像供給方向及び映像書込方向が偶数フィールド及び奇数フィールドで同じであるとすると、１フレーム期間で１番上のラインが映像信号を表示しているのが４８３／５２５となり（２１Ｈ期間×２（フィールド）＝４２を５２５から減算すると４８３となる）、１番下のラインが映像信号を表示しているのは４４／５２５となり（（２１Ｈ期間＋１（自身の期間））×２（フィールド）＝４４）、画面の下ほど輝度が低下した画像となる。
【００１５】
そこで、ディジタルシグナルプロセッサ２及びタイミングコントローラ５の処理によって画面領域に輝度の差異が生じるのを防止する制御を実行する。ディジタルシグナルプロセッサ２は、メモリ６に格納された映像データの１フィールド分の読み出しを、例えば、当該フィールドが奇数フィールドのときには、上側のラインから順に行い、当該フィールドが偶数フィールドのときには、下側のラインから順に行なっていく。そして、タイミングコントローラ５は、当該フィールドが奇数フィールドのときには、垂直シフトレジスタ２２に与えるＣＳＶをＨｉｇｈ（上から下へシフト）とし、当該フィールドが偶数フィールドのときには、前記ＣＳＶをＬｏｗ（下から上へシフト）とする制御を行なう。
【００１６】
従って、奇数フィールドの映像は、そのままの順序（上から下）で有機ＥＬパネル４に書き込まれ、その後の垂直帰線期間で２１Ｈ期間に渡って１２倍速で上から下に黒が書き込まれる。このとき、１番上のラインの点灯時間は２６１／２６２．５となり、１番下のラインの点灯時間は約２２／２６２．５となる。そして、次の偶数フィールドでは、メモリ上の映像が下ライン側から上ライン側へと逆順に読み出され、有機ＥＬパネル４へは下側から上への逆順で前記逆順に読み出された映像が書き込まれ、その後の垂直帰線期間で２１Ｈ期間に渡って１２倍速で下から上に黒が書き込まれる。このとき、１番上のラインの点灯時間は約２２／２６２．５となり、１番下のラインの点灯時間は２６１／２６２．５となる。従って、１フレーム期間での点灯時間は、どのラインも同じく２８３／５２５となり、有機ＥＬパネル４の領域間での輝度変化はなくなる。
【００１７】
なお、上記実施例では、前記映像供給方向及び映像書込方向を１フィールド映像内のライン単位で逆にすることとしたが、これに限るものではなく、映像供給方向及び映像書込方向を１フィールド映像内の画素単位で逆にするようにしてもよいものである。この場合、ディジタルシグナルプロセッサ２は、読み出す映像データが偶数フィールドに対応するものであるときには、各ラインを成す画素データについて、ラインの後ろ側の画素から読み出すようにメモリ６に対する読出アドレスを生成する。また、タイミングコントローラ５は、書き込む映像データが偶数フィールドに対応するものであるときには、水平シフトレジスタ２１に与えるＣＳＨをＨｉｇｈ（左から右へシフト）とする制御を行なう。また、上記実施形態では、水平方向画素数が３２０で垂直方向画素数が２４０である有機ＥＬディスプレイにＮＴＳＣの映像を表示する場合について例示したが、このような画素数に限るものではなく、また、ＮＴＳＣ映像の表示に限定されるものでもない。
【００１８】
【発明の効果】
以上説明したように、この発明によれば、垂直期間を利用して全ＥＬ素子に非発光状態を形成させるので、全ＥＬ素子に対して冷却期間が与えられることになり、ＥＬ素子の温度上昇が抑えられ、ＥＬ素子間の温度ムラが低減されてディスプレイの画面輝度ムラが低減されるという効果を奏する。
【図面の簡単な説明】
【図１】同図（ａ）（ｂ）は、この発明の実施形態のＥＬディスプレイの駆動装置におけるＥＬディスプレイへの各駆動信号の波形を示した説明図である。
【図２】この発明の実施形態の有機ＥＬディスプレイの駆動装置を示したブロック図である。
【図３】有機ＥＬ素子を示した断面図である。
【図４】アクティブ駆動型の有機ＥＬディスプレイを示した回路図である。
【図５】従来の駆動装置における有機ＥＬディスプレイへの各駆動信号の波形を示した説明図である。
【図６】有機ＥＬディスプレイに供給される１水平期間の映像信号と各駆動信号との関係を示した説明図である。
【符号の説明】
１    Ａ／Ｄ変換回路
２    ディジタルシグナルプロセッサ（ＤＳＰ）
３    Ｄ／Ａ変換回路
４    有機ＥＬディスプレイ
５    タイミングコントローラ
６    メモリ
【図１】
0003691490.tif 000002
【図２】
0003691490.tif 000003
【図３】
0003691490.tif 000004
【図４】
0003691490.tif 000005
【図５】
0003691490.tif 000006
【図６】
0003691490.tif 000007